(57)【要約】【課題】装置動作または装置異常や一過性の不良モードの発生後の現状状態を一見して判断でき、動作試験中であることも容易に判断できるディジタル保護制御装置の動作表示装置を提供することである。【解決手段】タッチパネル式画面および複数個の表示灯１３および操作スイッチ１４を有するタッチパネル表示器１２で構成され、マイクロコンピュータの保護制御演算により電力系統を保護するディジタル保護制御装置の動作状態を表示するディジタル保護制御装置の動作表示装置１１であって、常規状態より変化した変化状態を保持して表示する第１の変化状態表示灯１３ａ１と、常規状態より変化した要素の現状状態を表示する第１の現状状態表示灯１３ｂ１とを備える。【選択図】  図１
2010057310.tif 000002
【特許請求の範囲】
【請求項１】
タッチパネル式画面および複数個の表示灯および操作スイッチを有するタッチパネル表示器で構成され、マイクロコンピュータの保護制御演算により電力系統を保護するディジタル保護制御装置の動作状態を表示するディジタル保護制御装置の動作表示装置において、常規状態より変化した変化状態を保持して表示する第１の変化状態表示灯と、常規状態より変化した要素の現状状態を表示する第１の現状状態表示灯とを備えたことを特徴とするディジタル保護制御装置の動作表示装置。
【請求項２】
電力系統の故障を検出するリレー要素が動作した変化状態を保持し表示する第２の変化状態表示灯と、前記リレー要素の現状状態を表示する第２の現状状態表示灯とを備えたことを特徴とする請求項１記載のディジタル保護制御装置の動作表示装置。
【請求項３】
前記ディジタル保護制御装置の自動監視不良となった変化状態を保持して表示する第３の変化状態表示灯と、自動監視不良の現状状態を表示する第３の現状状態表示灯とを備えたことを特徴とする請求項１または２に記載のディジタル保護制御装置の動作表示装置。
【請求項４】
前記第１の現状状態表示灯、第２の現状状態表示灯及び第３の現状状態表示灯は、状態変化を表示するとともにその状態変化が復帰したときは消灯またはフリッカ表示することを特徴とする請求項１乃至３のいずれか１項に記載のディジタル保護制御装置の動作表示装置。
【請求項５】
前記ディジタル保護制御装置の動作試験中であることを表示する試験動作表示灯を備えたことを特徴とする請求項１乃至３のいずれか１項に記載のディジタル保護制御装置の動作表示装置。
【請求項６】
前記第１の状態変化表示灯と前記第１の現状状態表示灯との発光色、前記第２の状態変化表示灯と前記第２の現状状態表示灯との発光色、前記第３の状態変化表示灯と前記第３の現状状態表示灯との発光色は、異なる色としたことを特徴とする請求項１乃至５のいずれか１項に記載のディジタル保護制御装置の動作表示装置。
【請求項７】
前記状態変化表示灯、前記現状状態表示灯、前記試験動作表示灯の順序の入れ替えを前記マイクロコンピュータのプログラムによりプログラマブルに変更することを特徴とする請求項１乃至６のいずれか１項に記載のディジタル保護制御装置の動作表示装置。
【発明の詳細な説明】
【技術分野】
【０００１】
本発明は、電力系統の電気量が変化により電力系統の故障を検出して、故障区間を除去するディジタル保護制御装置の動作表示装置に関する。
【背景技術】
【０００２】
ディジタル保護制御装置はマイクロコンピュータを用いて構成され、電力系統の電気量が所定範囲以上に変化すると故障と判断して動作するリレー要素を備えており、動作表示装置にリレー要素の動作内容が状態表示されるようになっている。また、ディジタル保護制御装置のハードウエアの機能が正常であるか否かを自動監視する機能を備えており、自動監視機能が異常を検出した場合も動作表示装置に状態表示される。動作表示装置は、タッチパネル式画面および複数個の表示灯および操作スイッチを有するタッチパネル表示器で構成される。
【０００３】
図１３は、従来のディジタル保護制御装置の動作表示装置の一例を示す構成図である。動作表示装置１１を構成するタッチパネル表示器１２は、複数個の表示灯１３と操作スイッチ１４とを有し、また、イーサネット（登録商標）接続口１５にてパーソナルコンピュータ（ＰＣ）１６と接続される。パーソナルコンピュータ１６は、ディジタル保護制御装置の運用状態の詳細情報を見るために、イーサネット接続口１５を介して動作表示装置１１に接続される。表示灯１３はディジタル保護制御装置が常規状態より変化したことを表示保持するものである。表示灯１３は、ディジタル保護制御装置がリレー要素にて故障を検出したときや、自動監視機能にて異常を検出したときに点灯する。操作スイッチ１４は、ディジタル保護制御装置の強制制御操作や手動点検にて装置の正常を確認するときに使用する。
【０００４】
このようなディジタル保護制御装置の自動監視において、マイクロコンピュータの演算処理部及びメモリ部の監視については、データの一時的な変化等の回復可能な障害による過剰な装置異常検出を防止するため、不良検出時にデータを正常値に戻すリスタート処理を行い、不良の自動復旧を実施している。リスタート処理にて不良が回復しない場合は、不良確定して表示灯１３に状態表示する。
【０００５】
操作者は、巡視時または装置動作や装置異常などで装置の状態を確認する場合には、最初にタッチパネル表示器１２の表示灯１３の点灯状態によって装置が正常であるか、リレー要素が動作したか、さらには装置が異常であるかを確認する。次に、パーソナルコンピュータ１６を接続して詳細な装置の状態を確認する。巡視時は、装置の正常状態を示す表示灯１３が点灯していることを確認し、また操作スイッチ１４により自動点検を実施し、点検実施回数の更新を確認する。
【０００６】
一方、装置動作または装置異常を示す表示灯１３が点灯している場合には、パーソナルコンピュータ１６を接続して動作表示の画面を表示し装置動作の内容を確認する。また装置異常の表示灯１３が点灯している場合には、異常表示の画面を表示して装置異常の内容を確認する。確認が終了したら表示復帰操作を行い、タッチパネル表示器１２上の表示灯１３を消灯させる。
【０００７】
ここで、保護継電装置の状態を監視する操作者が装置の動作又は異常があったことを素早く発見し，更に画面の内容が確認できるようにした動作表示装置がある（例えば、特許文献１参照）。
【０００８】
図１４は、特許文献１の動作表示装置の構成図である。タッチパネル表示器１２に、タッチパネル式表示画面１７と、複数個の表示灯１３並びに操作スイッチ１４が配置されている。装置の動作や装置の異常があったとき、装置動作や異常に対応するタッチパネル表示器１２の表示灯１３を点灯させる。操作者は、操作スイッチ１４を操作して必要な情報を表示する画面を開いて動作や異常の詳細な内容を確認する。
【０００９】
図１５は、表示灯１３への表示方法を示すフローチャートである。装置動作や装置異常が発生したかどうかを判定し（Ｓ１）、装置動作や装置異常が発生した場合には、表示灯１３を点灯保持し（Ｓ２）、操作者による動作や異常の詳細な内容の確認があったかどうかを確認し（Ｓ３）、詳細な装置状態の確認があった場合には、表示復帰の操作を行い（Ｓ４）、表示灯１３を消灯させる。
【特許文献１】特開２００２−２６２４４６号公報
【発明の開示】
【発明が解決しようとする課題】
【００１０】
ところが、特許文献１のものでは、装置動作または装置異常にて表示灯１３の表示は点灯保持させていたため、操作者が巡視する際には、装置動作または装置異常が現状も継続しているのか、既に復帰しているのか操作スイッチ１４を操作しない限り判断する方法はなく、現状状態を一見して判断することができない。
【００１１】
また、演算処理部及びメモリ部の監視についてはリスタート処理を行って不良が自動復旧するモードがあるが、このような一過性の不良モードにおいても発生有無と現状状態の両方を把握したいという運用者のニーズに応えることができない。
【００１２】
さらに、ディジタル保護制御装置の定期試験において、試験設定に切り換えて強制制御操作によりリレーの応動確認試験を実施しているが、特許文献１のものでは、タッチパネル表示器１２には試験設定中の表示灯１３がないので、強制制御操作中のまま運用してしまうといった作業ミスが起こる問題がある。
【００１３】
本発明の目的は、装置動作または装置異常や一過性の不良モードの発生後の現状状態を一見して判断でき、動作試験中であることも容易に判断できるディジタル保護制御装置の動作表示装置を提供することである。
【課題を解決するための手段】
【００１４】
本発明のディジタル保護制御装置の動作表示装置は、タッチパネル式画面および複数個の表示灯および操作スイッチを有するタッチパネル表示器で構成され、マイクロコンピュータの保護制御演算により電力系統を保護するディジタル保護制御装置の動作状態を表示するディジタル保護制御装置の動作表示装置において、常規状態より変化した変化状態を保持して表示する第１の変化状態表示灯と、常規状態より変化した要素の現状状態を表示する第１の現状状態表示灯とを備えたことを特徴とする。
【発明の効果】
【００１５】
本発明によれば、装置動作または装置異常や一過性の不良モードの発生後の現状状態を一見して判断でき、動作試験中であることも容易に判断できる。
【発明を実施するための最良の形態】
【００１６】
以下、本発明の実施の形態を説明する。図１は本発明の第１の実施の形態に係わるディジタル保護制御装置の動作表示装置の構成図である。動作表示装置１１を構成するタッチパネル表示器１２は、複数個の表示灯１３と操作スイッチ１４とを有し、また、イーサネット接続口１５にてパーソナルコンピュータ（ＰＣ）１６と接続される。パーソナルコンピュータ１６は、ディジタル保護制御装置の運用状態の詳細情報を見るために、イーサネット接続口１５を介して動作表示装置１１に接続される。表示灯１３はディジタル保護制御装置の状態表示を行うものである。操作スイッチ１４は、表示保持された表示灯１３の表示を復帰するとき、ディジタル保護制御装置の強制制御操作や手動点検にて装置の正常を確認するときに使用する。
【００１７】
表示灯１３の第１の変化状態表示灯１３ａ１は常規状態より変化した変化状態を保持して表示するものであり、ディジタル保護制御装置が常規状態より変化したことを検出し、表示灯１３の中の第１の変化状態表示灯１３ａ１を表示保持する。
【００１８】
表示灯１３の第１の現状状態表示灯１３ｂ１は常規状態より変化した要素の現状状態を表示するものであり、常規状態より変化した要素の現在時点の状態を状態表示灯１３の中の第１の現状状態表示灯１３ｂ１にて表示する。第１の現状状態表示灯１３ｂ１は、常規状態に戻った場合は表示を復帰する。
【００１９】
図２は本発明の第１の実施の形態における第１の変化状態表示灯１３ａ１及び第１の現状状態表示灯１３ｂ１の点灯と消灯とのタイムチャートである。第１の変化状態表示灯１３ａ１は時点ｔ１での状態変化により点灯しその表示を保持する。表示の復帰は操作スイッチ１４で表示復帰操作を行うまで継続して点灯する。一方、第１の現状状態表示灯１３ｂ１は時点ｔ１での状態変化により点灯し、時点ｔ２での常規状態に戻ったことにより消灯する。
【００２０】
図３は動作表示装置１１の表示灯１３の応動を示すフローチャートである。
【００２１】
ディジタル保護制御装置の常規状態が状態変化したかどうかを判断し（Ｓ１）、状態変化した場合には第１の変化状態表示灯１３ａ１を点灯するとともに（Ｓ２）、第１の現状状態表示灯１３ｂ１も点灯する（Ｓ３）。そして、状態変化が常規状態に復帰したかどうかを判定し（Ｓ４）、復帰した場合には第１の現状状態表示灯１３ｂ１を消灯する（Ｓ５）。また、操作者による操作スイッチ１４により表示復帰の操作により（Ｓ６）、第１の変化状態表示灯１３ａ１を消灯する（Ｓ７）。このソフト処理は、一定周期でＳＴＡＲＴからＥＮＤまでの処理を繰り返す。
【００２２】
第１の実施の形態によれば、操作者（運用員）が巡視するとき、第１の現状状態表示灯１３ｂ１により、常規状態より変化した要素が分かり、現在は常規状態に戻っているのか、継続して状態変化したままであるのかを一見して判断することが可能となる。さらに、常規状態の変化をパーソナルコンピュータ１６を接続して確認する必要がなく状況把握ができるため作業の省略化が図れる。
【００２３】
図４は本発明の第２の実施の形態に係わるディジタル保護制御装置の動作表示装置の構成図である。表示灯１３の第２の変化状態表示灯１３ａ２は電力系統の故障を検出するリレー要素が動作した変化状態を保持し表示するものであり、電力系統の故障を検出した場合にリレー動作を第２の変化状態表示灯１３ａ２にて表示保持する。
【００２４】
表示灯１３の第２の現状状態表示灯１３ｂ２はディジタル保護制御装置のリレー要素の現状状態を表示するものであり、リレー動作の現在時点の状態を第２の現状状態表示灯１３ｂ２にて表示する。リレー要素が復帰したとき、第２の現状状態表示灯１３ｂ２を消灯する。
【００２５】
図５は本発明の第２の実施の形態における第２の変化状態表示灯１３ａ２及び第２の現状状態表示灯１３ｂ２の点灯と消灯とのタイムチャートである。第２の変化状態表示灯１３ａ２は、時点ｔ１での故障発生によりディジタル保護制御装置のリレー要素が動作したときに点灯しその表示を保持する。表示の復帰は操作スイッチ１４で表示復帰操作を行うまで継続して点灯する。一方、第２の現状状態表示灯１３ｂ２は、時点ｔ１での故障発生によりリレーが動作すると点灯し、時点ｔ２での故障復帰したことにより消灯する。
【００２６】
第２の実施の形態によれば、操作者が巡視するとき、第２の現状状態表示灯１３ｂ２を追加したことにより、リレー動作が現在は復帰しているのか、継続して動作中であるのかを、一見して判断することが可能となる。
【００２７】
図６は本発明の第３の実施の形態に係わるディジタル保護制御装置の動作表示装置の構成図である。この第３の実施の形態は、ディジタル保護制御装置が自動監視不良を検出した場合のものである。ディジタル保護制御装置の自動監視において装置異常を検出した場合は、正常状態より異常状態に変化したことを検出して、第３の変化状態表示灯１３ａ３を表示保持する。自動監視の現状状態を第３の現状状態表示灯１３ｂ３にて表示する。そして、装置異常が復帰したとき、第３の現状状態表示灯１３ｂ３を消灯する。一過性不良によりリスタート処理を行った場合は、第３の変化状態表示灯１３ａ３を表示保持し、リスタート処理にて不良が自動復旧した場合は第３の現状状態表示灯１３ｂ３を消灯する。
【００２８】
図７は本発明の第３の実施の形態における第３の変化状態表示灯１３ａ３及び第３の現状状態表示灯１３ｂ３の点灯と消灯とのタイムチャートである。第３の変化状態表示灯１３ａ３は、時点ｔ１でのディジタル保護制御装置の異常検出により点灯し、表示復帰操作を行うまで継続して点灯する。第３の現状状態表示灯１３ｂ３は、時点ｔ１でのディジタル保護制御装置の異常検出により点灯し、時点ｔ２での異常復帰により消灯する。
【００２９】
第３の実施の形態によれば、第３の現状状態表示灯１３ｂ３を追加したことにより、ディジタル保護制御装置の異常が現在は復帰しているのか、継続して動作中であるのかを一見して判断することが可能となる。さらに、リスタート処理を行って不良が自動復旧するような一過性の不良モードにおいても発生有無と現状状態の両方を把握することが可能となる。
【００３０】
図８は本発明の第４の実施の形態に係わるディジタル保護制御装置の動作表示装置の構成図である。この第４の実施の形態は、図１に示した第１の実施の形態に対し、第１の現状状態表示灯１３ｂ１は状態変化を表示するとともに、その状態変化が復帰したときはフリッカ表示するようにしたものである。
【００３１】
第１の現状状態表示灯１３ｂ１は状態変化があったときは連続点灯とし、状態変化が復帰したときはフリッカ点灯とする。例えば、保持された要素が自動監視不良の復帰により保持を解除されたとき、復帰していればフリッカ点灯するようにする。
【００３２】
図９は本発明の第４の実施の形態における第１の変化状態表示灯１３ａ１及び第１の現状状態表示灯１３ｂ１の点灯と消灯とのタイムチャートである。第１の変化状態表示灯１３ａ１は時点ｔ１での装置異常発生により点灯し、操作スイッチ１４による表示復帰操作を行うまで継続して点灯する。第１の現状状態表示灯１３ｂ１は時点ｔ１での装置異常発生により点灯し、時点ｔ２で装置異常が復帰したことによりフリッカ点灯する。
【００３３】
以上の説明では、第１の実施の形態の第１の現状状態表示灯１３ｂ１についてフリッカ点灯する場合について説明したが、第２の実施の形態の第２の現状状態表示灯１３ｂ２や第３の実施の形態の第３の現状状態表示灯１３ｂ３に対して適用するようにしてもよい。
【００３４】
第４の実施の形態によれば、操作者（運用員）が巡視するとき、現状状態表示灯１３ｂの表示により、装置異常が現在は復帰しているのか、継続して動作中であるのかを一見して判断することが可能となる。
【００３５】
図１０は本発明の第５の実施の形態に係わるディジタル保護制御装置の動作表示装置の構成図である。この第５の実施の形態は、ディジタル保護制御装置の動作試験中であることを表示する試験動作表示灯１３ｃを備えたものである。
【００３６】
図１０に示すように、表示灯１３の中に、ディジタル保護制御装置の動作試験等に用いる強制制御設定や試験設定の現状状態を表示する試験動作表示灯１３ｃを設けている。図１１は本発明の第５の実施の形態における試験動作表示灯１３ｃの点灯と消灯とのタイムチャートである。試験動作表示灯１３ｃは強制制御設定あるいは試験設定の操作を行ったとき点灯し、強制制御設定あるいは試験設定を運用状態に戻したとき消灯する。
【００３７】
第５の実施の形態によれば、操作者（運用員）が巡視するとき、試験動作表示灯１３ｃにより、強制制御設定中または試験設定中か否かを一見して判断することが可能となる。試験員（運用員）がディジタル保護制御装置の定期試験を実施して運用に戻るとき、強制制御または試験設定のまま運用に入らないように、作業ミスをなくすことが可能である。
【００３８】
ここで、第１の状態変化表示灯１３ａ１と第１の現状状態表示灯１３ｂ１との発光色、第２の状態変化表示灯１３ａ２と第２の現状状態表示灯１３ｂ２との発光色、第３の状態変化表示灯１３ａ３と第３の現状状態表示灯１３ｂ３との発光色は、異なる色とする。
【００３９】
例えば、第１、第２、第３の変化状態表示灯１３ａ１〜１３ａ３を赤色、第１、第２、第３の現状状態表示灯１３ｂ１〜１３ｂ３を黄色のように発光色を分ける。これにより、操作者（運用員）は、ディジタル保護制御装置のリレー動作したことなどと、それらを表示保持した状態とを区別することができ、表示灯１３の用途を明確に判断することが可能となる。
【００４０】
また、状態変化表示灯１３ａ、現状状態表示灯１３ｂ、試験動作表示灯１３ｃの順序の入れ替えをマイクロコンピュータのプログラムによりプログラマブルに変更することも可能である。すなわち、常規状態より変化したことを保持する第１の変化状態表示灯１３ａ１、保持した要素の現状状態を表示する第１の現状状態表示灯１３ｂ１、電力系統に故障を検出したリレー動作を表示保持する第２の変化状態表示灯１３ａ２、電力系統の現状状態を表示する第２の現状状態表示灯１３ｂ２、ディジタル保護制御装置の異常を検出したことを表示保持する第３の変化状態表示灯１３ａ３、ディジタル保護制御装置の現状状態を表示する第３の現状状態表示灯１３ｂ３、ディジタル保護制御装置の動作試験等に用いる強制制御設定や試験設定の現状状態を表示する動作試験表示灯１３ｃの各々の表示灯１３の順序の入れ替えをプログラマブルに変更できるようにする。
【００４１】
図１２に示すように、第１、第２、第３の変化状態表示灯１３ａ１〜１３ａ３と、第１、第２、第３の現状状態表示灯１３ｂ１〜１３ｂ３とは、交互に並べているが、プログラマブルの変更により、第１、第２、第３の変化状態表示灯１３ａ１〜１３ａ３を隣同士に並べて配置し、また、第１、第２、第３の現状状態表示灯１３ｂ１〜１３ｂ３を隣同士に並べて配置することも可能である。これにより、動作表示装置１１のハードウェアを変更することなく、ソフトウェアの変更により表示灯１３の並び替えが容易に変更できる。
【図面の簡単な説明】
【００４２】
【図１】本発明の第１の実施の形態に係わるディジタル保護制御装置の動作表示装置の構成図。
【図２】本発明の第１の実施の形態における第１の変化状態表示灯及び第１の現状状態表示灯の点灯と消灯とのタイムチャート。
【図３】本発明の第１の実施の形態に係わるディジタル保護制御装置の動作表示装置における表示灯の応動を示すフローチャート
【図４】本発明の第２の実施の形態に係わるディジタル保護制御装置の動作表示装置の構成図。
【図５】本発明の第２の実施の形態における第２の変化状態表示灯及び第２の現状状態表示灯の点灯と消灯とのタイムチャート。
【図６】本発明の第３の実施の形態に係わるディジタル保護制御装置の動作表示装置の構成図。
【図７】本発明の第３の実施の形態における第３の変化状態表示灯及び第３の現状状態表示灯の点灯と消灯とのタイムチャート。
【図８】本発明の第４の実施の形態に係わるディジタル保護制御装置の動作表示装置の構成図。
【図９】本発明の第４の実施の形態における第１の変化状態表示灯及び第１の現状状態表示灯の点灯と消灯とのタイムチャート。
【図１０】本発明の第５の実施の形態に係わるディジタル保護制御装置の動作表示装置の構成図。
【図１１】本発明の第５の実施の形態における試験動作表示灯の点灯と消灯とのタイムチャート。
【図１２】本発明の実施の形態における第１、第２、第３の変化状態表示灯と、第１、第２、第３の現状状態表示灯との配列の説明図。
【図１３】従来のディジタル保護制御装置の動作表示装置の一例を示す構成図。
【図１４】従来のディジタル保護制御装置の動作表示装置の他の一例を示す構成図。
【図１５】従来のディジタル保護制御装置の動作表示装置での表示灯への表示方法を示すフローチャート。
【符号の説明】
【００４３】
１１…動作表示装置、１２…タッチパネル表示器、１３…表示灯、１３ａ…変化状態表示灯、１３ｂ…現状状態表示灯、１３ｃ…試験動作表示灯、１４…操作スイッチ、１５…イーサネット接続口、１６…パーソナルコンピュータ、１７…タッチパネル式表示画面
【図１】
2010057310.tif 000003
【図２】
2010057310.tif 000004
【図３】
2010057310.tif 000005
【図４】
2010057310.tif 000006
【図５】
2010057310.tif 000007
【図６】
2010057310.tif 000008
【図７】
2010057310.tif 000009
【図８】
2010057310.tif 000010
【図９】
2010057310.tif 000011
【図１０】
2010057310.tif 000012
【図１１】
2010057310.tif 000013
【図１２】
2010057310.tif 000014
【図１３】
2010057310.tif 000015
【図１４】
2010057310.tif 000016
【図１５】
2010057310.tif 000017